(57)【要約】【課題】モータを固定するためのブラケットを窓に対して簡易に取付けることができ取付作業性を向上させることのできる窓開閉装置とそれを用いた窓及び窓開閉装置の取付方法を提供する。【解決手段】枠体１に対して固定されるブラケット２１と、ブラケットに固定され駆動部１５を動作させるモータ２３と、モータの駆動軸２３ａと駆動部とを連結するジョイント部材２４とを有し、ブラケットは枠体に対する固定部２１ａと、モータを取付けるモータ固着部２２ｂとを有し、固定部は略板状に形成され駆動部の取付面と枠体の室内面との間に挟持され、駆動部の連係部を挿通可能な開口部２１ｃを有し、開口部は固定部の側部に渡る切欠部２１ｄと連続状とされ、固定部の開口部が形成された領域の上部と下部の両方またはいずれか一方に、駆動部を枠体に対して固着するネジを挿通可能なネジ孔２１ｅを備えてなる。【選択図】図６
2009062697.tif 000002
【特許請求の範囲】
【請求項１】
建物開口部に取付けられる枠体内に障子が開閉機構を介して開閉自在に納められた窓の前記開閉機構を駆動する駆動部に対して取付けられる窓開閉装置において、
前記枠体に対して固定されるブラケットと、該ブラケットに対して固定され前記駆動部を動作させるモータと、該モータの駆動軸と前記駆動部とを連結するジョイント部材とを有し、
前記駆動部は前記枠体の室内面に対向する取付面を有し、該取付面よりも室外側に向かって突出するように前記開閉機構と連係する連係部が設けられ、
前記ブラケットは前記枠体に対する固定部と、前記モータを取付けるモータ固着部とを有し、前記固定部は略板状に形成され前記駆動部の取付面と枠体の室内面との間に挟持されると共に、前記駆動部の連係部を挿通可能な開口部を有し、該開口部は前記固定部の側部に渡る切欠部と連続状とされ、前記固定部の開口部が形成された領域の上部と下部の両方またはいずれか一方に、前記駆動部を前記枠体に対して固着するネジを挿通可能なネジ孔を備えてなることを特徴とする窓開閉装置。
【請求項２】
前記ブラケットは前記固定部を有するベースブラケットと、該ベースブラケットに対して取付けられ前記モータ固着部を有するモータブラケットとからなり、
前記ベースブラケットは前記モータブラケットを固定する固定位置を複数設定できるブラケット固定部を備えることを特徴とする請求項１記載の窓開閉装置。
【請求項３】
前記ジョイント部材は前記モータに設けられる回転軸を固定する固定位置を軸長方向に複数設定できるモータ軸固定部を備えることを特徴とする請求項１または２記載の窓開閉装置。
【請求項４】
建物開口部に取付けられる枠体内に障子が開閉機構を介して開閉自在に納められたルーバー窓、縦辷り出し窓、平行辷り出し窓、オーニング窓のいずれかの窓であって、
前記開閉機構を駆動する駆動部に対して請求項１〜３のいずれか１項に記載の窓開閉装置を取付けたことを特徴とする窓。
【請求項５】
建物開口部に取付けられる枠体内に障子が開閉機構を介して開閉自在に納められた窓の前記開閉機構を駆動する駆動部に対して窓開閉装置を取付ける取付方法において、
前記枠体に対して固定されるベースブラケットと、該ベースブラケットに対して複数の固定位置のうちいずれかの位置で固定されるモータ固定ブラケットと、該モータ固定ブラケットに対して固定され前記駆動部を動作させるモータと、該モータの駆動軸と前記駆動部とを連結するジョイント部材とを用意し、
前記モータ固定ブラケットとモータを固定し一体化すると共に、前記枠体と駆動部との間に挟持されるように前記ベースブラケットを固定しておき、
前記ジョイント部材を前記駆動部に設けられる操作軸に対して取付固定し、前記モータの駆動軸を前記ジョイント部材に挿入して固定すると共に、それに伴い適合する前記ベースブラケットとモータ固定ブラケットのネジ孔にネジを螺合し固定することを特徴とする窓開閉装置の取付方法。
【請求項６】
前記ベースブラケットは、前記枠体に対する固定部を有し、該固定部は前記駆動部から室外側に突出するように設けられる連係部を挿通可能な開口部を有し、該開口部は前記固定部の側部に渡る切欠部と連続状とされ、前記固定部の開口部が形成された領域の上部と下部の両方またはいずれか一方に、前記駆動部を前記枠体に対して固着するネジを挿通可能なネジ孔を備えるように形成され、
前記枠体に固着された駆動部のネジを取り外し、前記枠体と駆動部の間に前記ベースブラケットを挿入し、前記連係部を前記切欠部から挿通させて前記開口部に納め、前記駆動部を前記ベースブラケットのネジ孔を介して前記枠体に対してネジ止めすることで、前記駆動部に対して前記ベースブラケットを固定することを特徴とする請求項５記載の窓開閉装置の取付方法。
【発明の詳細な説明】
【技術分野】
【０００１】
本発明は、ルーバー窓、縦辷り出し窓、平行辷り出し窓、及びオーニング窓のような開閉窓を自動で開閉させる窓開閉装置とそれを用いた窓及び窓開閉装置の取付方法に関し、特に窓種にかかわらず簡単に取付けることのできる窓開閉装置とそれを用いた窓及び窓開閉装置の取付方法に関する。
【背景技術】
【０００２】
従来、ルーバー窓、縦辷り出し窓、平行辷り出し窓、及びオーニング窓のような開閉窓が知られており、これら開閉窓においては窓開閉装置によって障子の開閉を行うのが一般的である。窓開閉装置は、回動自在なハンドルを有して手動で直接操作されるものや、ハンドルの代わりにチェーン操作用プーリが設けられ、これに取付けられたチェーンにより手動で遠隔操作されるものなどがある。このように手動で操作される窓開閉装置に対し、電動で操作を行う窓開閉装置も利用されるようになっており、さらに手動で操作される窓開閉装置に電動で操作を行うための構成を追加するものも知られている。このような窓開閉装置としては、例えば特許文献１や特許文献２に挙げるようなものがある。
【特許文献１】特開２００５−２５６３９５号公報
【特許文献２】特開２００５−８９９８０号公報
【発明の開示】
【発明が解決しようとする課題】
【０００３】
電動による窓開閉装置を窓に対して取付けるためには、モータの動力が障子を開閉する駆動部に伝達されるようにする必要がある。駆動部は連係部を有しており、連係部が障子の開閉機構と連係し、駆動部が開閉機構を駆動することにより障子が開閉するように構成されている。なお、手動で操作される窓開閉装置の場合には、駆動部に設けられる操作軸に対してハンドルやプーリなどが取付けられる。
【０００４】
電動による窓開閉装置を窓に取付けるケースとしては、手動で操作される窓開閉装置が予め設けられている窓に対して後付けで追加する場合と、窓を建物に取付ける際に最初から電動の窓開閉装置を用意する場合とがある。前者の場合には、連係部を含む駆動部を一旦完全に取り外さなければモータを固定するためのブラケットを取付けることはできなかった。
【０００５】
また、後者の場合でも、最初から窓に電動の窓開閉装置を取付けていると、建物の建設中には窓開閉装置が電気的に接続されていないために窓の開閉を行うことができない。このため、建物の建設中には最初に手動で操作可能な窓開閉装置を取付けておき、電気的な接続が可能となった段階で窓開閉装置を電動に取替えることが望ましい。したがって、この取替持において前者の場合と同様の問題が生じる。
【０００６】
本発明は、前記課題を解決すべくなされたものであり、モータを固定するためのブラケットを窓に対して簡易に取付けることができ取付作業性を向上させることのできる窓開閉装置とそれを用いた窓及び窓開閉装置の取付方法を提供することを目的とする。
【課題を解決するための手段】
【０００７】
上記課題を解決するため、本発明にかかる窓開閉装置は、建物開口部に取付けられる枠体内に障子が開閉機構を介して開閉自在に納められた窓の前記開閉機構を駆動する駆動部に対して取付けられる窓開閉装置において、
前記枠体に対して固定されるブラケットと、該ブラケットに対して固定され前記駆動部を動作させるモータと、該モータの駆動軸と前記駆動部とを連結するジョイント部材とを有し、
前記駆動部は前記枠体の室内面に対向する取付面を有し、該取付面よりも室外側に向かって突出するように前記開閉機構と連係する連係部が設けられ、
前記ブラケットは前記枠体に対する固定部と、前記モータを取付けるモータ固着部とを有し、前記固定部は略板状に形成され前記駆動部の取付面と枠体の室内面との間に挟持されると共に、前記駆動部の連係部を挿通可能な開口部を有し、該開口部は前記固定部の側部に渡る切欠部と連続状とされ、前記固定部の開口部が形成された領域の上部と下部の両方またはいずれか一方に、前記駆動部を前記枠体に対して固着するネジを挿通可能なネジ孔を備えてなることを特徴として構成されている。
【０００８】
また、本発明にかかる窓開閉装置は、前記ブラケットは前記固定部を有するベースブラケットと、該ベースブラケットに対して取付けられ前記モータ固着部を有するモータブラケットとからなり、
前記ベースブラケットは前記モータブラケットを固定する固定位置を複数設定できるブラケット固定部を備えることを特徴として構成されている。
【０００９】
さらに、本発明にかかる窓開閉装置は、前記ジョイント部材は前記モータに設けられる回転軸を固定する固定位置を軸長方向に複数設定できるモータ軸固定部を備えることを特徴として構成されている。
【００１０】
さらにまた、本発明にかかる窓は、建物開口部に取付けられる枠体内に障子が開閉機構を介して開閉自在に納められたルーバー窓、縦辷り出し窓、平行辷り出し窓、オーニング窓のいずれかの窓であって、
前記開閉機構を駆動する駆動部に対して請求項１〜３のいずれか１項に記載の窓開閉装置を取付けたことを特徴として構成されている。
【００１１】
そして、本発明にかかる窓開閉装置の取付方法は、建物開口部に取付けられる枠体内に障子が開閉機構を介して開閉自在に納められた窓の前記開閉機構を駆動する駆動部に対して窓開閉装置を取付ける取付方法において、
前記枠体に対して固定されるベースブラケットと、該ベースブラケットに対して複数の固定位置のうちいずれかの位置で固定されるモータ固定ブラケットと、該モータ固定ブラケットに対して固定され前記駆動部を動作させるモータと、該モータの駆動軸と前記駆動部とを連結するジョイント部材とを用意し、
前記モータ固定ブラケットとモータを固定し一体化すると共に、前記枠体と駆動部との間に挟持されるように前記ベースブラケットを固定しておき、
前記ジョイント部材を前記駆動部に設けられる操作軸に対して取付固定し、前記モータの駆動軸を前記ジョイント部材に挿入して固定すると共に、それに伴い適合する前記ベースブラケットとモータ固定ブラケットのネジ孔にネジを螺合し固定することを特徴として構成されている。
【００１２】
また、本発明にかかる窓開閉装置の取付方法は、前記ベースブラケットは、前記枠体に対する固定部を有し、該固定部は前記駆動部から室外側に突出するように設けられる連係部を挿通可能な開口部を有し、該開口部は前記固定部の側部に渡る切欠部と連続状とされ、前記固定部の開口部が形成された領域の上部と下部の両方またはいずれか一方に、前記駆動部を前記枠体に対して固着するネジを挿通可能なネジ孔を備えるように形成され、
前記枠体に固着された駆動部のネジを取り外し、前記枠体と駆動部の間に前記ベースブラケットを挿入し、前記連係部を前記切欠部から挿通させて前記開口部に納め、前記駆動部を前記ベースブラケットのネジ孔を介して前記枠体に対してネジ止めすることで、前記駆動部に対して前記ベースブラケットを固定することを特徴として構成されている。
【発明の効果】
【００１３】
本発明にかかる窓開閉装置によれば、駆動部は枠体の室内面に対向する取付面を有し、取付面よりも室外側に向かって突出するように開閉機構と連係する連係部が設けられ、ブラケットは枠体に対する固定部と、モータを取付けるモータ固着部とを有し、固定部は略板状に形成され駆動部の取付面と枠体の室内面との間に挟持されると共に、駆動部の連係部を挿通可能な開口部を有し、開口部は固定部の側部に渡る切欠部と連続状とされ、固定部の開口部が形成された領域の上部と下部の両方またはいずれか一方に、駆動部を枠体に対して固着するネジを挿通可能なネジ孔を備えてなることにより、駆動部を枠体に対して固着するネジを一旦取り外すことで、連係部と開閉機構との連結を解除することなくブラケットを枠体と駆動部との間に挿入することができるので、モータを固定するためのブラケットを枠体に対して簡易に取付けることができ、取付作業性を向上させることができる。
【００１４】
また、本発明にかかる窓開閉装置によれば、ブラケットは固定部を有するベースブラケットと、ベースブラケットに対して取付けられモータ固着部を有するモータブラケットとからなり、ベースブラケットはモータブラケットを固定する固定位置を複数設定できるブラケット固定部を備えることにより、異なる種類の窓の駆動部に対応できるようにすることができる。
【００１５】
さらに、本発明にかかる窓開閉装置によれば、ジョイント部材はモータに設けられる回転軸を固定する固定位置を軸長方向に複数設定できるモータ軸固定部を備えることにより、モータの取付位置をより柔軟に設定できるので、より多くの種類の窓に対応できるようにすることができる。
【００１６】
さらにまた、本発明にかかる窓開閉装置の取付方法によれば、枠体に対して固定されるベースブラケットと、ベースブラケットに対して固定されるモータ固定ブラケットと、モータ固定ブラケットに対して固定され駆動部を動作させるモータと、モータの駆動軸と駆動部とを連結するジョイント部材とを用意し、モータ固定ブラケットとモータを固定し一体化すると共に、枠体と駆動部との間に挟持されるようにベースブラケットを固定しておき、ジョイント部材を駆動部に設けられる操作軸に対して取付固定し、モータの駆動軸をジョイント部材に挿入して固定すると共に、それに伴い適合するベースブラケットとモータ固定ブラケットのネジ孔にネジを螺合し固定することにより、各部品を順次取付けていくだけで、取付けようとする窓の駆動部に適合するように窓開閉装置を取付けることができ、容易に取付作業を行うことができる。
【発明を実施するための最良の形態】
【００１７】
本発明の実施形態について、図面に沿って詳細に説明する。本実施形態では、ルーバー窓、縦辷り出し窓、平行辷り出し窓、及びオーニング窓に対して取付けることのできる窓開閉装置について説明する。このうち、まず本実施形態の窓開閉装置が取付けられたルーバー窓の構成について説明する。図１にはルーバー窓の縦断面図を、図２にはルーバー窓の横断面図を、それぞれ示している。これら各図に示すように、ルーバー窓は、建物開口部に取付けられる枠体１内に開閉機構５を介して上下方向に複数設けられる障子２を納めてなるものであり、それぞれの障子２は開閉機構５によって回動されることで、開閉自在とされている。
【００１８】
枠体１は、上枠１０と下枠１１及び左右の縦枠１２、１２を方形状に枠組みしてなるものであり、それぞれ室内端部にはアングル部１３が取付けられている。各アングル部１３より室内側にはそれぞれ額縁材８が取付けられて、枠体１が建物開口部内に納められている。
【００１９】
開閉機構５は縦枠１２内に設けられ、それを駆動する駆動部１５が縦枠１２の上下方向中間位置に設けられている。また、駆動部１５の室外側には連係部１５ａを有しており、外部からの駆動によりこれが動作することによって開閉機構５を動作させ、それに取付けられた障子２を回動させる。すなわち、駆動部１５は開閉機構５を介して障子２と連係しており、その動作によって障子２を開閉させることができる。また、駆動部１５は縦枠１２の室内を向いた面に対して対向する取付面１５ｂを有している。
【００２０】
障子２は、面材部４と保持体３とが一体的に形成されてなるものであり、枠体１内において上下に複数並設される。保持体３は、一端部が開閉機構５に対して回動自在に支持されると共に、縦枠１２に形成される障子支持部１４にも回動自在に支持される。駆動部１５の連係部１５ａが外部からの駆動により動作すると、開閉機構５は上下方向にスライド移動し、それに伴って保持体３は障子支持部１４による支持部分を中心に回動することによって、障子２が開閉動作する。なお、図１の上端の障子２と下端の障子２について、開状態を点線で示している。
【００２１】
駆動部１５の室内側には、連係部１５ａを動作させるための窓開閉装置２０が取付けられる。図３には、ルーバー窓における窓開閉装置２０付近の拡大図を示している。縦枠１２の室内側には、前述のように駆動部１５が設けられており、さらにそれより室内側に張り出すように窓開閉装置２０が設けられる。また、駆動部１５には、室内側に向かって突出するように操作軸１６が設けられており、この操作軸１６が回転駆動されることによって駆動部１５の連係部１５ａが動作し、開閉機構５を介して障子２を開閉動作させることができる。
【００２２】
窓開閉装置２０は、縦枠１２及び駆動部１５に対して固定されるベースブラケット２１と、ベースブラケット２１に対して固定されるモータ固定ブラケット２２と、モータ固定ブラケット２２に対して固定されるモータ２３と、モータ２３の駆動軸２３ａと駆動部１５の操作軸１６を連結するジョイント部材２４と、モータ２３を覆うように設けられるモータカバー２５とからなっている。
【００２３】
図４には、窓開閉装置２０の分解図を示している。ベースブラケット２１とモータ固定ブラケット２２は、いずれも金属材を折り曲げ加工して構成される。また、ベースブラケット２１は、一側部が縦枠１２の室内を向いた面と駆動部１５の取付面１５ｂによって挟持されるように配置される縦枠固定部２１ａを有し、駆動部１５の縦枠１２に対するネジ止めによって固定されている。モータ２３は、モータ固定ブラケット２２に対して駆動軸２３ａを有する面が固定され、その状態で駆動軸２３ａが駆動部１５の操作軸１６と同軸上に配置され、ジョイント部材２４によって連結されることで、駆動軸２３ａの回転に伴って操作軸１６を回転駆動する。モータカバー２５は、モータ固定ブラケット２２、モータ２３、及びジョイント部材２４を覆うように取付けられる。モータカバー２５は、ネジによりモータ固定ブラケット２２に対して固定される。
【００２４】
ベースブラケット２１とモータ固定ブラケット２２は、互いに位置調整可能となるように構成されている。ベースブラケット２１のモータ固定ブラケット２２側端部には、ネジ孔として形成されたブラケット固定部２１ｂが、モータ固定ブラケット２２を複数の位置に固定することができるように複数形成されている。一方、モータ固定ブラケット２２のベースブラケット２１側端部には、ベースブラケット２１のブラケット固定部２１ｂのいずれかに固着可能な固定部２２ａが形成されている。ベースブラケット２１のブラケット固定部２１ｂには、内周にネジ山が切られていてネジを螺合させることができ、一方でモータ固定ブラケット２２の固定部２２ａには、ネジを単に挿通させる孔が形成されている。したがって、ベースブラケット２１とモータ固定ブラケット２２の固定に際しては、図３に示すようにモータ固定ブラケット２２側からネジを挿通させ、ベースブラケット２１のブラケット固定部２１ｂに対して螺合させることにより、裏板等を用いることなく固定をなすことができる。
【００２５】
図５にはモータ固定ブラケット２２の正面図を示している。この図に示すように、モータ固定ブラケット２２を構成するモータ固定部２２ｂには、左右側部にそれぞれ略半円形状の切欠部２２ｃが形成されている。モータ固定ブラケット２２が切欠部２２ｃを有していることにより、図３に示すように、モータ２３が取付けられたモータ固定ブラケット２２をベースブラケット２１に対してネジ止め固定する際、この切欠部２２ｃにドライバ９１を通すことができ、ドライバ９１とモータ固定部２２ｂとが干渉しないようにすることができる。また、モータ２３を固定した後で、モータ２３から引き出される配線９０を、切欠部２２ｃを通してモータカバー２５から外部に取り出すようにすることができ、配線９０がモータ固定ブラケット２２とモータカバー２５に挟まれないようにすることができる。
【００２６】
図６には、駆動部１５とベースブラケット２１及びモータ固定ブラケット２２の配置関係を表した正面図を示している。この図に示すように、ベースブラケット２１は正面視において上下方向に長く形成されており、縦枠１２と駆動部１５に挟持される縦枠固定部２１ａには、中央部に開口部２１ｃが形成されており、また開口部２１ｃと連続するように縦枠固定部２１ａの側部に渡る切欠部２１ｄが形成されている。さらに、開口部２１ｃの上下部には、駆動部１５を縦枠１２に固定するネジを挿通させるネジ孔２１ｅが複数形成されている。
【００２７】
ベースブラケット２１を縦枠１２に対して取付ける際には、まず駆動部１５の縦枠１２に対する固定を一旦解除する。駆動部１５はその上下部にそれぞれ固定ネジ孔１５ｃを有しており、この固定ネジ孔１５ｃからネジを挿通して縦枠１２に対してネジ止め固定される。このネジを一旦取り外し、駆動部１５を縦枠１２から取り外すことのできる状態とする。駆動部１５の連係部１５ａは縦枠１２に設けられた開閉機構５と連結された状態であるため、駆動部１５を縦枠１２から完全に取り外すことはできない。ただし、駆動部１５の取付面１５ｂと縦枠１２の室内面との間にベースブラケット２１と挿入する程度の隙間を作ることができる。
【００２８】
駆動部１５の縦枠１２との固定を解除したら、駆動部１５の取付面１５ｂと縦枠１２の室内面との間の隙間からベースブラケット２１を挿入する。ベースブラケット２１の縦枠固定部２１ａには、駆動部１５の連係部１５ａを挿通可能な開口部２１ｃが形成され、さらに開口部２１ｃは縦枠固定部２１ａの側部に渡る切欠部２１ｄと連続状とされているので、ベースブラケット２１を駆動部１５の連係部１５ａと干渉しないように駆動部１５と縦枠１２との間における側方から挿入することができる。
【００２９】
駆動部１５と縦枠１２との間にベースブラケット２１を挿入したら、駆動部１５の固定ネジ孔１５ｃにネジを挿通して縦枠１２に対して再び固定する。駆動部１５と縦枠１２との間に挿入されたベースブラケット２１の縦枠固定部２１ａには、駆動部１５の固定ネジ孔１５ｃと適合する位置にネジ孔２１ｅが形成されており、駆動部１５を固定するネジはベースブラケット２１のネジ孔２１ｅを介して縦枠１２に対して螺合される。これによって、駆動部１５を縦枠１２に対して固定するのに伴ってベースブラケット２１も縦枠１２に対して固定することができる。ベースブラケット２１にはネジ孔２１ｅが複数形成されており、これらのうち少なくともいずれか１つは駆動部１５の固定ネジ孔１５ｃと適合するように配置されている。
【００３０】
ベースブラケット２１を縦枠１２に対して固定したら、ブラケット固定部２１ｂに対してモータ２３が取付けられたモータ固定ブラケット２２をネジ止め固定する。ブラケット固定部２１ｂは、前述のように複数が配置されてモータ固定ブラケット２２を複数の位置に固定することができるように形成されている。図４に示すようにモータ２３が固定されたモータ固定ブラケット２２をベースブラケット２１に固定する際には、モータ２３の駆動軸２３ａがジョイント部材２４を介して駆動部１５の操作軸１６に連結されるようにする。このようにモータ２３の駆動軸２３ａと駆動部１５の操作軸１６を連結すると、モータ固定ブラケット２２は図６に示す位置に配置される。そして、モータ固定ブラケット２２に形成される固定部２２ａは、ベースブラケット２１のブラケット固定部２１ｂのいずれかに適合し、これらをネジ止めして固定する。ベースブラケット２１のブラケット固定部２１ｂは、本実施形態の窓開閉装置が取付けられるルーバー窓、縦辷り出し窓、平行辷り出し窓、及びオーニング窓の各駆動部１５について、モータ２３の駆動軸２３ａを駆動部１５の操作軸１６に接続するのに伴って、モータ固定ブラケット２２の固定部２２ａがいずれかに適合するように配置される。
【００３１】
図４に示すようにジョイント部材２４には、駆動部１５の操作軸１６を挿入する操作軸挿入部２４ａと、操作軸挿入部２４ａと同軸でありモータ２３の駆動軸２３ａを挿入する駆動軸挿入部２４ｂとを備え、駆動軸挿入部２４ｂにはピンを挿入して駆動軸２３ａを固定する駆動軸固定部２４ｃが孔状に形成されている。駆動軸固定部２４ｃは、軸長方向に２つが形成されており、このいずれか１つと駆動軸２３ａに形成される固定部２３ｂとを固定する。これによって、モータ２３はジョイント部材２４に対して軸長方向に２つの異なる位置に取付けることが可能となっている。
【００３２】
モータ２３の駆動軸２３ａをジョイント部材２４を介して駆動部１５の操作軸１６に連結する際には、モータ固定ブラケット２２をベースブラケット２１に対して当接させた状態で、モータ２３の固定部２３ｂはジョイント部材２４のいずれかの駆動軸固定部２４ｃと適合するように、駆動軸固定部２４ｃが配置されている。図示するルーバー窓の場合には、モータ２３の固定部２３ｂはジョイント部材２４のモータ２３側に形成される駆動軸固定部２４ｃと適合する。
【００３３】
モータ２３をジョイント部材２４を介して駆動部１５に連結すると共に、モータ固定ブラケット２２をベースブラケット２１に固定したら、モータ２３に対して配線し、さらにモータカバー２５を取付けることで窓開閉装置２０がルーバー窓に取付けられる。このように窓開閉装置２０を取付けると、モータ２３に通電することによって駆動部１５の操作軸１６を電動で回転させることができ、それに伴って連係部１５ａ及び開閉機構５を介して障子２を自動的に開閉させることができる。
【００３４】
次に、別の種類の窓に対して窓開閉装置２０を取付ける場合について説明する。ここでは別の種類の窓として、縦辷り出し窓について説明する。図７には窓開閉装置２０を取付けた縦辷り出し窓の縦断面図を、図８には窓開閉装置２０を取付けた縦辷り出し窓の横断面図を、それぞれ示している。これら各図に示すように、この縦辷り出し窓は、建物開口部に取付けられる枠体５０内に開閉機構５４を介して障子５１を納めてなるものであり、障子５１は駆動部１５に駆動される開閉機構５４によって室内外方向に開閉自在とされている。
【００３５】
枠体５０は、上枠６０と下枠６１及び左右の縦枠６２、６２を方形状に枠組みしてなるものである。障子５１は、上框７０と下框７１及び左右の縦框７２、７２を方形状に框組みした框体５２内にガラス体５３を納めてなるものである。また、縦框７２は縦枠６２内に取付けられる開閉機構５４に連結されており、これによって支持されると共に室内外方向に開閉することができるようにされている。また、枠体５０の室内側には開閉機構５４を駆動する駆動部１５が設けられ、駆動部１５は室外側に開閉機構５４と連係する連係部１５ａを有している。また、開閉機構５４の室内側には、ルーバー窓の場合と同様に窓開閉装置２０が取付けられる。
【００３６】
図９には、縦辷り出し窓における窓開閉装置２０付近の拡大図を示している。縦辷り出し窓に取付けられる窓開閉装置２０は、ルーバー窓に取付けられる窓開閉装置２０と同じ部品によって構成される。すなわち、窓開閉装置２０を構成するベースブラケット２１、モータ固定ブラケット２２、モータ２３、ジョイント部材２４、及びモータカバー２５は、いずれもルーバー窓の場合と同じ部材を用いている。
【００３７】
図１０には、駆動部１５とベースブラケット２１及びモータ固定ブラケット２２の配置関係を表した正面図を示している。この図に示すように、縦辷り出し窓の場合には、操作軸１６が駆動部１５の下部に配置される。そして、モータ固定ブラケット２２の固定部２２ａは、モータ２３の駆動軸２３ａが駆動部１５の操作軸１６に連結されるのに伴って、複数のブラケット固定部２１ｂのうち、図１０で示した重なり合うブラケット固定部２１ｂと適合する。このように固定されることで、モータ固定ブラケット２２はベースブラケット２１の中央より下部位置に固定される。
【００３８】
図１１には、窓開閉装置２０の分解図を示している。縦辷り出し窓に窓開閉装置２０を取付ける場合においても、ルーバー窓の場合と同様に、モータ２３とモータ固定ブラケット２２を予め一体化しておき、駆動部１５と縦枠６２との間にはベースブラケット２１を固定し、モータ２３の駆動軸２３ａを駆動部１５の操作軸１６に対しジョイント部材２４を介して連結することで、モータ固定ブラケット２２の固定部２２ａを適合するベースブラケット２１のブラケット固定部２１ｂに対して固定する。なお、モータ２３の駆動軸２３ａは、ジョイント部材２４の２つの駆動軸固定部２４ｃのうち、ルーバー窓の場合と同じ側の駆動軸固定部２４ｃに適合し、固定される。
【００３９】
図７及び図８に示した縦辷り出し窓は、縦枠６１内に開閉機構５４が設けられているので、縦枠６２に対して窓開閉装置２０を取付けたが、下枠６１内に開閉機構５４が設けられる場合もある。図１２には、下枠６１内に開閉機構５４が設けられた縦辷り出し窓の縦断面図を示している。この場合には、駆動部１５の取付方向が図７及び図８の場合と９０°異なっており、ベースブラケット２１もブラケット固定部２１ｂが駆動部１５の上側となるように取付けられる。そして、窓開閉装置２０は駆動部１５から室内側斜め上方に向かうように取付けられる。この場合の駆動部１５自体は、図７及び図８に示したものと同じであるため、ベースブラケット２１とモータ固定ブラケット２２の取付位置及びモータ２３のジョイント部材２４に対する取付位置は、図７及び図８に示した縦辷り出し窓と同様である。
【００４０】
さらに、他の種類の窓に対する窓開閉装置２０の取付について説明する。ここでは、平行辷り出し窓に窓開閉装置２０を取付ける場合と、オーニング窓に窓開閉装置２０を取付ける場合について説明する。なお、これらの窓については、全体の構成の説明は省略する。
【００４１】
図１３には、平行辷り出し窓における窓開閉装置２０付近の拡大図を示している。この図に示すように、縦枠１２の室内側に設けられる駆動部１５は、ルーバー窓や縦辷り出し窓の場合と比べて室内側により張り出すような大きさを有している。この場合にも、窓開閉装置２０を構成するベースブラケット２１、モータ固定ブラケット２２、モータ２３、ジョイント部材２４、及びモータカバー２５はルーバー窓や縦辷り出し窓の場合と同じ部品を用いることができる。
【００４２】
図１４には、駆動部１５とベースブラケット２１及びモータ固定ブラケット２２の配置関係を表した正面図を示している。この図に示すように、平行辷り出し窓の場合には、操作軸１６が駆動部１５の上部寄りに配置される。そして、モータ固定ブラケット２２の固定部２２ａは、モータ２３の駆動軸２３ａが駆動部１５の操作軸１６に連結されるのに伴って、複数のブラケット固定部２１ｂのうち、図１４で示した重なり合うブラケット固定部２１ｂと適合する。このように固定されることで、モータ固定ブラケット２２はベースブラケット２１の中央より上部位置に固定される。
【００４３】
また、ベースブラケット２１は駆動部１５に対して下端が略同じ位置であり、上端は駆動部１５の上端よりも上方に位置する。図１４に示すように、ベースブラケット２１の複数のネジ孔２１ｅのうち、下端に位置するネジ孔２１ｅは駆動部１５の下側の固定ネジ孔１５ｃと適合し、ネジが挿通されて螺合される。これによって、ベースブラケット２１は下端部のネジ孔２１ｅにおいて縦枠６２と固定される。一方で、駆動部１５の上側の固定ネジ孔１５ｃはベースブラケット２１の開口部２１ｃの位置にあるため、上側の固定ネジ孔１５ｃに挿通されるネジはベースブラケット２１を直接固定しないが、下側の固定ネジ孔１５ｃに挿通されるネジと共に駆動部１５を縦枠６２に対して固定し、その間に挟まれるベースブラケット２１を挟持する。
【００４４】
図１５には、窓開閉装置２０の分解図を示している。この図に示すように、平行辷り出し窓に窓開閉装置２０を取付ける場合にも、モータ２３とモータ固定ブラケット２２を予め一体化しておき、駆動部１５と縦枠６２との間にはベースブラケット２１を固定し、モータ２３の駆動軸２３ａを駆動部１５の操作軸１６に対しジョイント部材２４を介して連結することで、モータ固定ブラケット２２の固定部２２ａを適合するベースブラケット２１のブラケット固定部２１ｂに対して固定する。なお、モータ２３の駆動軸２３ａは、ジョイント部材２４の２つの駆動軸固定部２４ｃのうち、ルーバー窓の場合と同じ側の駆動軸固定部２４ｃに適合し、固定される。
【００４５】
図１６には、オーニング窓における窓開閉装置２０付近の拡大図を示している。この図に示すように、縦枠１２の室内側に設けられる駆動部１５は、これまで説明した窓の中では最も大きく、室内側に大きく張り出している。この場合にも、窓開閉装置２０を構成するベースブラケット２１、モータ固定ブラケット２２、モータ２３、ジョイント部材２４、及びモータカバー２５はルーバー窓や縦辷り出し窓の場合と同じ部品を用いることができる。
【００４６】
図１７には、駆動部１５とベースブラケット２１及びモータ固定ブラケット２２の配置関係を表した正面図を示している。この図に示すように、オーニング窓の場合には、駆動部１５の上下方向長さとベースブラケット２１の上下方向長さが略同じであり、また操作軸１６は駆動部１５の上部に設けられている。モータ固定ブラケット２２の固定部２２ａは、モータ２３の駆動軸２３ａが駆動部１５の操作軸１６に連結されるのに伴って、複数のブラケット固定部２１ｂのうち、図１７で示した重なり合うブラケット固定部２１ｂと適合する。このように固定されることで、モータ固定ブラケット２２はベースブラケット２１の中央より上部位置に固定される。
【００４７】
図１８には、窓開閉装置２０の分解図を示している。この図に示すように、オーニング窓に窓開閉装置２０を取付ける場合にも、モータ２３とモータ固定ブラケット２２を予め一体化しておき、駆動部１５と縦枠６２との間にはベースブラケット２１を固定し、モータ２３の駆動軸２３ａを駆動部１５の操作軸１６に対しジョイント部材２４を介して連結することで、モータ固定ブラケット２２の固定部２２ａを適合するベースブラケット２１のブラケット固定部２１ｂに対して固定する。モータ固定ブラケット２２のベースブラケット２１に対する固定位置は、これまで説明したルーバー窓等の場合と異なり、駆動部１５に近い側となっている。また、モータ２３の駆動軸２３ａが固定される駆動軸固定部２４ｃも、これまで説明したルーバー窓等の場合と異なり、ジョイント部材２４の駆動部１５側に形成される駆動軸固定部２４ｃと適合し、固定される。
【００４８】
これまで説明したように、窓開閉装置２０は、モータ２３を駆動部１５に固定するためのブラケットが、ベースブラケット２１とモータ固定ブラケット２２の二部材からなり、ベースブラケット２１とモータ固定ブラケット２２、モータ２３とジョイント部材２４が互いに位置調整可能となるようにネジ孔が形成されていることにより、ルーバー窓、縦辷り出し窓、平行辷り出し窓、及びオーニング窓のいずれにおいても、同一部品を用いることができて、部品の共用化によるコストダウンを図ることができる。
【００４９】
また、ベースブラケット２１には開口部２１ｃ及び切欠部２１ｄが形成されているので、予め枠体１に取付けられていた駆動部１５のネジ止めによる固定を一旦解除するだけで、駆動部１５の連係部１５ａを枠体１から取り外すことなく駆動部１５と枠体１との間にベースブラケット２１を挿入することができ、またベースブラケット２１の駆動部１５と枠体１との間に挿入される部分には複数のネジ孔２１ｅが形成されており、そのいずれかが駆動部１５の固定ネジ孔１５ｃと適合するように配置されているので、駆動部１５を再び枠体１に対してネジ止めすることにより、ベースブラケット２１も固定することができる。
【００５０】
これまで説明した窓では、いずれも駆動部１５が室内側から見た右側に配置されているが、駆動部１５が室内側から見た左側に配置されるものであってもよい。この場合、駆動部１５に対して固定するためのベースブラケット２１は、左右反転させる必要があるが、ベースブラケット２１の取付部２１ｃは、上半分と下半分とで対称位置にそれぞれ配置されているので、このように左右勝手を変更した場合であっても同じ部品を用いることができる。
【００５１】
以上、本発明の実施形態について説明したが、本発明の適用は本実施形態には限られず、その技術的思想の範囲内において様々に適用されうるものである。本実施形態では、モータカバー２５はモータ２３及びその周囲部のみを覆うように形成したため、モータカバー２５をコンパクトにすることができる反面、ベースブラケット２１の一部が室内側に露出する。そこで、モータカバー２５を大きく形成してベースブラケット２１の全体を覆うようにしてもよい。
【００５２】
また、本実施形態ではモータ固定ブラケット２２のベースブラケット２１に対する固定位置を複数設定できるようにするため、複数のネジ孔を形成しているが、長孔を形成することによっても、固定位置を複数設定することができる。
【図面の簡単な説明】
【００５３】
【図１】ルーバー窓の縦断面図である。
【図２】ルーバー窓の横断面図である。
【図３】ルーバー窓における窓開閉装置付近の拡大図である。
【図４】窓開閉装置の分解図である。
【図５】モータ固定ブラケットの正面図である。
【図６】駆動部とベースブラケット及びモータ固定ブラケットの配置関係を表した正面図である。
【図７】縦辷り出し窓の縦断面図である。
【図８】縦辷り出し窓の横断面図である。
【図９】縦辷り出し窓における窓開閉装置付近の拡大図である。
【図１０】駆動部とベースブラケット及びモータ固定ブラケットの配置関係を表した正面図である。
【図１１】窓開閉装置の分解図である。
【図１２】駆動部が下枠に設けられた縦辷り出し窓の縦断面図である。
【図１３】平行辷り出し窓における窓開閉装置付近の拡大図である。
【図１４】駆動部とベースブラケット及びモータ固定ブラケットの配置関係を表した正面図である。
【図１５】窓開閉装置の分解図である。
【図１６】オーニング窓における窓開閉装置付近の拡大図である。
【図１７】駆動部とベースブラケット及びモータ固定ブラケットの配置関係を表した正面図である。
【図１８】窓開閉装置の分解図である。
【符号の説明】
【００５４】
１    枠体
２    障子
３    保持体
４    ガラス体
５    開閉機構
１０    上枠
１１    下枠
１２    縦枠
１５    駆動部
１５ａ  連係部
１５ｂ  取付面
１５ｃ  固定ネジ孔
１６    操作軸
２０    窓開閉装置
２１    ベースブラケット
２１ａ  縦枠固定部
２１ｂ  ブラケット固定部
２１ｃ  開口部
２１ｄ  切欠部
２１ｅ  ネジ孔
２２    モータ固定ブラケット
２２ａ  固定部
２２ｂ  モータ固定部
２２ｃ  切欠部
２３    モータ
２３ａ  駆動軸
２３ｂ  固定部
２４    ジョイント部材
２４ａ  操作軸挿入部
２４ｂ  駆動軸挿入部
２４ｃ  駆動軸固定部
２５    モータカバー
５０    枠体
５１    障子
５２    框体
５３    ガラス体
５４    開閉機構
６０    上枠
６１    下枠
６２    縦枠
【図１】
2009062697.tif 000003
【図２】
2009062697.tif 000004
【図３】
2009062697.tif 000005
【図４】
2009062697.tif 000006
【図５】
2009062697.tif 000007
【図６】
2009062697.tif 000008
【図７】
2009062697.tif 000009
【図８】
2009062697.tif 000010
【図９】
2009062697.tif 000011
【図１０】
2009062697.tif 000012
【図１１】
2009062697.tif 000013
【図１２】
2009062697.tif 000014
【図１３】
2009062697.tif 000015
【図１４】
2009062697.tif 000016
【図１５】
2009062697.tif 000017
【図１６】
2009062697.tif 000018
【図１７】
2009062697.tif 000019
【図１８】
2009062697.tif 000020